(57)【要約】【課題】クリップ体の脚部にヒケ等の成形不良が発生し難く、且つクリップ体の板部が撓み易い、合成樹脂により、クリップ体と筒体を２色成形により一体に設けた筆記具を簡単な構造で提供する。【解決手段】本発明は、合成樹脂により、筒体と、脚部及び該脚部から筒体の長手方向に沿って延びる板部とからなるクリップ体とを、２色成形により一体に設けた筆記具であって、前記筒体と、該筒体から外方に延びる延出部を１次成形し、前記クリップ体の脚部及び板部を２次成形し、前記筒体とクリップ体とを一体に形成するとともに、前記延出部の上部を、前記延出部の下部よりも小形に形成し、前記クリップ体の脚部が、前記延出部を被覆することを特徴とする。【選択図】        図１
2010137436.tif 000002
【特許請求の範囲】
【請求項１】
合成樹脂により、筒体と、脚部及び該脚部から筒体の長手方向に沿って延びる板部とからなるクリップ体とを、２色成形により一体に設けた筆記具であって、前記筒体と、該筒体から外方に延びる延出部を１次成形し、前記クリップ体の脚部及び板部を２次成形し、前記筒体とクリップ体とを一体に形成するとともに、前記延出部の上部を、前記延出部の下部よりも小形に形成し、前記クリップ体の脚部が、前記延出部を被覆することを特徴とする筆記具。
【請求項２】
前記延出部の先端面の角部が、面取り加工を施してあることを特徴とする請求項１に記載の筆記具。
【請求項３】
前記延出部の先端面が、円弧状であることを特徴とする請求項１に記載の筆記具。
【請求項４】
前記２次成形のゲート位置が、前記延出部の頂面よりも、前記筒体の先端側に位置するとともに、前記延出部が、前記下部から上部に向かって、前記クリップ体の板部の後端側に傾斜して形成してあることを特徴とする請求項１ないし３の何れか１項に記載の筆記具。
【発明の詳細な説明】
【技術分野】
【０００１】
本発明は、合成樹脂により、筒体と、脚部及び該脚部から筒体の長手方向に沿って延びる板部とからなるクリップ体とを、２色成形により一体に設けた筆記具に関する。
【背景技術】
【０００２】
従来から、合成樹脂により、筒体と、該筒体から延びるクリップ体とを一体に設けたキャップや軸筒等の筆記具は知られている。
【０００３】
こうした筆記具としては、特開平１１−７８３５８号公報「筆記具」で開示されているように、筒体とクリップを２色成形にて、一体に設けたものが開示されている。また、特開２００２−１１３９８８号「筆記具用クリップ」では、クリップに、金属製の板片を挟着している筆記具用キャップが開示されている。
【特許文献１】「特開平１１−７８３５８号公報」
【特許文献２】「特許２００２−１１３９８８号公報」
【発明の開示】
【発明が解決しようとする課題】
【０００４】
しかし、特許文献１等、従来のキャップにおいて、クリップの脚部近傍は、クリップをポケット等に挟持する時に、クリップの板部が拡開する時に応力が加わるために、折れやすいという問題があった。こうした問題を鑑みて、クリップの脚部の肉厚を厚くすることが考えられるが、脚部にヒケ等の不具合が発生する恐れがあった。
【０００５】
また、特許文献２のように、クリップに、金属製の板片を挟着することで、クリップの強度を高めることはできるが、製造が煩雑となり、低価格品には不向きである問題があった。
【０００６】
また、特許文献２には、クリップの板部のみに金属製の板片を挟着する構造も開示されているが、クリップの板部の強度を高くすると、クリップの板部自体の撓みが生じ難くなるため、クリップの板部が拡開する時に、脚部に応力が集中して、脚部が破損し難くなるという新たな課題が発生する。
【０００７】
本発明は上記問題を鑑み、クリップ体の脚部にヒケ等の成形不良が発生し難く、且つクリップ体の板部が撓み易い、合成樹脂により、クリップ体と筒体を２色成形により一体に設けた筆記具を簡単な構造で提供するものである。
【課題を解決するための手段】
【０００８】
前記目的を達成するために本発明では、合成樹脂により、筒体と、脚部及び該脚部から筒体の長手方向に沿って延びる板部とからなるクリップ体とを、２色成形により一体に設けた筆記具であって、前記筒体と、該筒体から外方に延びる延出部を１次成形し、前記クリップ体の脚部及び板部を２次成形し、前記筒体とクリップ体とを一体に形成するとともに、前記延出部の上部を、前記延出部の下部よりも小形に形成し、前記クリップ体の脚部が、前記延出部を被覆することを特徴とする。
【０００９】
また、前記延出部の頂面の角部が、面取り加工を施してあることを特徴とする。
【００１０】
さらにまた、前記延出部の頂面が、円弧状であることを特徴とする。
【００１１】
さらにまた、前記延出部が、前記下部から上部に向かって、前記クリップ体の板部の後端側に傾斜して形成してあることを特徴とする。
【発明の効果】
【００１２】
本発明は、クリップ体の脚部にヒケ等の成形不良が発生し難く、且つクリップ体の板部が撓み易い、合成樹脂により、クリップ体と筒体を２色成形により一体に設けた筆記具を簡単な構造で提供することができた。
【発明を実施するための最良の形態】
【００１３】
以下、図面を参照して本発明の実施の形態を説明する。尚、図面中同じ部材、同じ部品については同じ番号を付してある。
【００１４】
図１〜図４に示す、第１の実施の形態における筆記具１は、合成樹脂により、筒体２と、脚部６ａ及び脚部６ａから筒体の長手方向に沿って延びる板部６ｂとからなるクリップ体６とを２色成形により一体に設けて、ボールペンのキャップを得ている。また、筒体２の先端部内に設けたリブ４によって、弾性体７を保持してある。
【００１５】
具体的には、１次成形によって、筒体２をポリカーボネート樹脂によって成形してあり、２次成形にて、色の異なるポリカーボネート樹脂よりクリップ体６を２色成形により、筒体２と一体に成形してキャップを作成している。
【００１６】
筒体２には、筒体２から外方に延びる延出部３を設けてあり、クリップ体６の脚部６ａが、延出部３を被覆するように２色成形してある。尚、延出部３の頂面Ｈ１の角部３ｃは、Ｒ面取りを施してあり、延出部３はその上部３ａは下部３ｂよりも幅を小さく（Ｌ＜Ｍ）して小形、且つ下部３ｂから上部３ａに向かって、クリップ体の板部６ｂの後端側に傾斜して形成してある。
【００１７】
１次成形のゲート位置Ｇ１は、延出部３の下部３ｂ近傍に設けてあり、２次成形のゲート位置Ｇ２は、延出部３の裏面側で、且つ延出部３の頂面Ｈ１を基準とし、クリップ体６の板部６ｂと反対側に設けてあり、延出部３の頂面Ｈ１よりも筒体２の先端側に設けてある。
【００１８】
クリップ体の脚部６ａが、延出部３を被覆するように２色成形することよって、クリップ体の脚部６ａを厚くしても、延出部３によって、個々の肉厚量を少なくできるため、ヒケなどの成形不良が発生し難い。
【００１９】
また、２次成形時には、ゲート位置Ｇ２から流れ込んだ樹脂は、クリップ体の脚部６ａから板部６ｂの後端方向に向かって流れ込み、さらに、板部６ｂの後端側から脚部６ａ側に戻る。この時、延出部３の下部３ｂから上部３ａに向かって除々に小さく（Ｌ＜Ｍ）形成されているため、樹脂がスムーズに流れるため、クリップ体の脚部６ａが延出部３を被覆しやすい効果を奏する。
【００２０】
また、延出部３の上部３ａは、その下部３ｂよりも小形に形成してあるため、クリップ体の板部６ｂ自体が撓み易く、さらに、クリップ体の板部６ｂが拡開する時に、応力が集中する延出部３の下部３ｂの強度を高くしてあるため、クラックの発生を抑制することができる。
【００２１】
また、２次成形の時に、延出部３の頂面Ｈ１の角部３ｃ近傍で樹脂が乱流して気泡が発生し易いが、延出部３の頂面の角部３ｃを面取り加工することによって、延出部３の下部３ｂ側から上部３ａ、又は上部３ａ側から下部３ｂ側に向かって樹脂をスムーズに流すことができるので、延出部３の頂面の角部３ｃ近傍で樹脂が乱流を抑制できる。尚、角部３ｃに施す面取り加工は、Ｒ面取りとすることが好ましい。
【００２２】
筆記具１をボールペン用のキャップとして用いる場合には、先端部に口金９、後端部に尾栓１０を装着した、軸筒８の先端部にキャップを嵌合すると、先ず、軸筒８内に収容した、インキ収容筒１１の先端部にチップホルダー１２を介して装着したボールペンチップ１３の先端部が弾性体７に当接する。さらに嵌合が進むと、ボールペンチップ１３の先端部が弾性体７に圧接し、弾性体７が変形することによりボールペンチップ１３の先端部を密閉する。この弾性体７によるボールペンチップ１３の先端部の密閉と同時に、軸筒８の外壁に設けた凸部と、筒体２内に設けた突部５が乗り越し嵌合して、軸筒８の先端部にキャップを着脱自在に嵌合して用いることができる。
【００２３】
本実施の形態では、便宜上、延出部の頂面を平坦とし、その角部を面取りしているが、図５の他の例に示すように、延出部１３の上部１３ａは、その下部１３ｂよりも小形に形成し、延出部１３の頂面Ｈ２を円弧状とし、クリップの脚部１６ａを被覆してもよい。延出部１３の頂面Ｈ２を円弧状とすることにより、延出部１３の頂面Ｈ２近傍での樹脂の乱流を効果的に抑制できるので最も好ましい。尚、延出部の頂面を円弧状とすることによって、脚部１６ａと延出部１３との接合部への応力が、一箇所に集中し難く、応力が分散し易いため、クリップ体と延出部の連接部での外れを効果的に抑制することができる効果を奏する。
【００２４】
尚、延出部の形状は、少なくともその上部を、下部よりも小形に形成されていれば階段状、傾斜状、円弧状等、特に限定されないが、下部から上部に向かって除々に小さくなる傾斜状や円弧状とすることで、２次成形における樹脂が、延出部を被覆しやすいので最も好ましい。
【００２５】
本発明における筒体に用いる合成樹脂は、ポリカーボネートを材料として形成される場合に限らず、例えば、ポリスチレン、スチレン・アクリロニトリル共重合体、ＡＢＳ、ポリアセタール、ポリエステル、ポリプロピレン等、筆記具の筒体として一般的に知られている合成樹脂のなかから、適宜選定すればよい。また、クリップ体も同様に、クリップ体として一般的に知られている合成樹脂のなかから、筒体との２色成形に適した材料を適宜選定して用いることができる。
【００２６】
筒体及びクリップ体に用いる合成樹脂は、前述の通りであるが、クリップ体の板部の硬度を低く、筒体の硬度を高くすることで、クリップ体の板部が拡開し易く、延出部によって、脚部の強度が向上することを構造面のみならず材質面でも得られるため好ましい。
【００２７】
また、１次成形のゲート位置及び２次成形のゲート位置は、特に限定されるものではないが、２次成形のゲート位置が、延出部の頂面よりも筒体の先端側に位置するとともに、延出部が、下部から上部に向かって、クリップの板部の後端側に傾斜して形成することによって、クリップの脚部から板部の後端方向に向かって、圧力が加わるため、樹脂が流れ込みやすく、乱流が発生し難くすることができるので好ましい。
【００２８】
本実施の形態では、便宜上、合成樹脂により、筒体と、筒体の外壁に設けた脚部及び該脚部から筒体の長手方向に沿って延びる板部とからなるクリップとを２色成形により一体に設けたキャップを例示してあるが、筒体を軸筒本体とした筆記具の軸筒であってもよい。
【産業上の利用可能性】
【００２９】
本発明の筆記具は、油性ボールペン用インキ、水性ボールペン用インキ、剪断減粘性インキ等、インキの種類に限定されることなく、クリップを有する軸筒やキャップ等、筆記具として広く実施可能である。
【図面の簡単な説明】
【００３０】
【図１】第１の実施の形態における筆記具を示す、縦断面図である。
【図２】図１における、弾性体を省略したＡ−Ａ拡大縦断面図である。
【図３】図１における、弾性体を省略したＢ−Ｂ拡大縦断面図である。
【図４】図１における、ボールペンの軸筒を装着した状態の、要部縦断面図である。
【図５】他の例を示す、一部省略した、要部拡大断面図である。
【符号の説明】
【００３１】
１  筆記具
２  筒体
３、１３  延出部
３ａ、１３ａ  上部
３ｂ、１３ｂ  下部
４  リブ
６  クリップ体
６ａ、１６ａ  脚部
６ｂ  板部
７  弾性体
８  軸筒
Ｈ１、Ｈ２  頂面
【図１】
2010137436.tif 000003
【図２】
2010137436.tif 000004
【図３】
2010137436.tif 000005
【図４】
2010137436.tif 000006
【図５】
2010137436.tif 000007